【事件の表示】
　特許第３２１０３０４号「コイルフアスナー継手」の請求項１、２に係る特許に対する特許異議の申立てについて、次のとおり決定する。
【結　論】
　訂正を認める。
　特許第３２１０３０４号の請求項１、２に係る特許を維持する。
【理　由】
Ｉ．手続の経緯の概要
　本件特許３２１０３０４号の請求項１ないし２に係る発明についての出願は、平成１１年１０月１３日に特許出願され、平成１３年７月１３日にその発明について特許権の設定登録（平成１３年９月１７日特許公報発行）がなされ、その後、その特許について、異議申立人敷島紡績株式会社により、平成１４年３月１５日付けで特許異議の申立がなされ、取消理由の通知がなされ、その指定期間内である平成１４年９月６日に意見書の提出とともに訂正請求がなされたものである。
　
II．訂正の適否についての判断
１．訂正の内容
訂正事項ａ
　特許請求の範囲の請求項１に係わる記載（特許公報の１ページ左欄第６〜８行目）、「該両端部のコイル状フアスナーエレメント列同士を上下方向から噛み合わせ、」を、「該両端部のコイル状ファスナーエレメント列同士を上下方向噛み合わせ用の継手形成用スライダーを用いて上下方向から噛み合わせ、」と訂正する。
　
訂正事項ｂ
特許請求の範囲の請求項１に係わる記載（特許公報の１ページ左欄第１１〜１２行目）、「成型時基準長さ寸法に対し約１〜２５％の範囲内にて伸長され、」を、「成型時基準長さ寸法に対し約５〜２０％の範囲内にて伸長され、」と訂正する。
　
訂正事項ｃ
　特許請求の範囲の請求項２に係わる記載（特許公報の１ページ右欄第２行目）、「コイル状フアスナーエレメント列」を、「線径０．６〜１．１ｍｍのモノフィラメントを成型したコイル状フアスナーエレメント列」と訂正する。
　
２．訂正の適否　
訂正事項ａについて
　訂正事項ａは、請求項１の記載において、コイル状フアスナーエレメント列について、これが、噛み合わせにあたり、上下方向噛み合わせ用の継手形成用スライダーを用いて上下方向から噛み合わせられるようなものである旨限定するものであるから、特許請求の範囲の減縮を目的とした訂正に該当する。
　そして、訂正事項は、明細書の【００１５】段落の記載に基づくものである。
　したがって、この訂正事項ａは、願書に添付した明細書に記載した事項の範囲内の訂正であり、実質上特許請求の範囲を拡張し、又は変更するものではない。
　
　訂正事項ｂは、請求項１の記載において、コイル状ファスナーエレメント列の伸長範囲を、約１〜２５％から、約５〜２０％の範囲に減縮するものであるから、特許請求の範囲の減縮を目的とした訂正に該当する。
　そして、訂正事項は、明細書の【００１２】段落の記載に基づくものである。
　したがって、この訂正事項ｂは、願書に添付した明細書に記載した事項の範囲内の訂正であり、実質上特許請求の範囲を拡張し、又は変更するものではない。
　
　訂正事項ｃは、請求項２の記載において、コイル状フアスナーエレメント列の構成について、これが、線径０．６〜１．１ｍｍのモノフィラメントを成型したものである旨限定するものであるから、特許請求の範囲の減縮を目的とした訂正に該当する。
　そして、訂正事項は、明細書の【００１４】段落の記載に基づくものである。
　したがって、この訂正事項ｃは、願書に添付した明細書に記載した事項の範囲内の訂正であり、実質上特許請求の範囲を拡張し、又は変更するものではない。
　
　以上のとおりであるから、訂正事項ａ〜ｃは、特許法第１２０条の４第２項の規定、及び第１２０条の４第３項において準用する特許法第１２６条第２項及び第３項の規定に適合するものであるので、該訂正を認める。
　
III．特許異議申立てについての判断
１．本件特許発明
　訂正明細書の請求項１ないし請求項２に係る発明（以下、それぞれ「本件訂正発明１」ないし「本件訂正発明２」という）は、訂正明細書の特許請求の範囲の請求項１ないし請求項２に記載された事項により特定される次のとおりのものである。
　
「【請求項１】
　プラスチック織物本体の両端部のそれぞれに、相互錠止し合うべく予め成型された伸縮能を有する一本の合成樹脂線材から成るコイル状ファスナーエレメント列を、該プラスチック織物本体を構成する経糸の折り返しループにからませて取り付け、該両端部のコイル状ファスナーエレメント列同士を上下方向噛み合わせ用の継手形成用スライダーを用いて上下方向から噛み合わせ、この噛み合わせて形成した共通孔に接合用芯線を挿通して無端状に接合するようにしたプラスチック織物のコイルファスナー継手において、前記コイル状ファスナーエレメント列が、成型時基準長さ寸法に対し約５〜２０％の範囲内にて伸長され、該エレメント列が構成する噛合頭部間距離が広がっている状態で、直接、前記プラスチック織物本体を構成する経糸の折り返しループに取り付けられていることを特徴とするコイルファスナー継手。
【請求項２】
　線径０．６〜１．１ｍｍのモノフィラメントを成型したコイル状ファスナーエレメント列のエレメントカラーが、該エレメント列に遮られている接合用芯線を目視可能な半透明色であることを特徴とする請求項１記載のコイルファスナー継手。」
　
２．取消理由及び引用刊行物記載の発明
　当審は、本件の請求項１ないし２に係る特許発明は、本件特許出願前に頒布された下記刊行物１ないし刊行物５に記載された発明に基づいて、当業者が容易に発明をすることができたものであるから、本件特許は、特許法第２９条第２項の規定に違反してされたものである旨の取消理由を通知した。
　
　刊行物１：特開昭６０−４８７０２号公報（甲第１号証）
　刊行物２：欧州特許出願公開第２７５６５６号明細書（Ａ１）（甲第３号証）
　刊行物３：実願平４−１２０２号（実開平５−５６９９８号）のＣＤ−ＲＯＭ）（甲第４号証）
　刊行物４：実公昭６３−３４０００号公報（甲第５号証）
　刊行物５：特開平１１−４６８１３号公報（甲第６号証）
　
　刊行物１（甲第１号証）には、本件訂正発明１が前提としているコイルファスナー継手（コイル）が記載されている。
　すなわち、刊行物１には、プラスチックのモノフィラメントで織成された乾燥布の布端７０に、フィラメントの太さより大きい幅のヘッド９０を形成した、ナイロンまたはポリエステルのモノフィラメントからなる連続コイル８０を、経糸ループ５０に糸通しして取り付け、一方の布端の各ループのヘッドを、他方の布端の二つのループ間に挿入して、締まりばめを形成（すなわち、隣接ループ間距離Ｄとフィラメントの太さＴとを同一と）し、布端同士を接合し、噛み合ったコイルにより形成された円筒形の管にピン１４０を通してコイルを互いに結合させたものが記載されている。（３ページ左下欄〜４ページ右上欄）
　また、刊行物１のコイルは、工具を移動させることにより、上側の布端１００のコイル１１０のループが、下側布端７０のコイル８０のループの中に押し込まれ噛み合わされる。（５ページ右上欄〜左下欄）
　
３．対比・判断
【本件訂正発明１について】
　本件訂正発明１を、刊行物１記載のものと比較すると、刊行物１記載のものの、乾燥布、コイル、工具、ピンは、それぞれ本件訂正発明１の、プラスチック織物、コイル状ファスナーエレメント列、継手形成用スライダー、接合用芯線に相当するので、両者は、次の一致点で一致し、相違点で相違する。
　
（一致点）
　「プラスチック織物本体の両端部のそれぞれに、相互錠止し合うべく予め成型された伸縮能を有する一本の合成樹脂線材から成るコイル状ファスナーエレメント列を、該プラスチック織物本体を構成する経糸の折り返しループにからませて取り付け、該両端部のコイル状ファスナーエレメント列同士を上下方向噛み合わせ用の継手形成用スライダーを用いて上下方向から噛み合わせ、この噛み合わせて形成した共通孔に接合用芯線を挿通して無端状に接合するようにしたプラスチック織物のコイルファスナー継手」
　
（相違点）
　本件訂正発明１のコイルファスナー継手は、コイル状ファスナーエレメント列が、成型時基準長さ寸法に対し約５〜２０％の範囲内にて伸長され、該エレメント列が構成する噛合頭部間距離が広がっている状態で、直接、前記プラスチック織物本体を構成する経糸の折り返しループに取り付けられているのに対し、刊行物１記載のもののコイルは、プラスチック織物に取り付けた状態で締まりばめを形成するように乾燥布（プラスチック織物に相当）に取り付けるものであるが、刊行物１には、これが成型時基準長さ寸法に対し、伸長されて取り付けられているものか否か記載されていない点。
　
（相違点についての判断）
　まず、刊行物１の記載から、相違点に係る構成を、当業者が容易に想到することができたか否かについて検討する。
　
　刊行物１には、乾燥布に取付けたコイルが、締まりばめを形成して噛み合う旨記載されているが、乾燥布の経糸間隔に多少の誤差があることは充分考えられ、経糸間隔に合わせたピッチでコイルを成型したとしても、かかる誤差によって、結果的に乾燥布に取り付けられたコイルのピッチに、成型時のピッチからの多少の変動があることも充分考えられることである。
　しかしながら、かかる誤差の程度が大きい場合、その誤差がコイルのピッチを縮小する方向のものであれば、実質的にコイルの隣接ループ間の間隔Ｄが、フィラメント直径Ｔに満たなくなり、フィラメント同士が干渉しあって、コイルの噛み合いが不可能となる。
　他方、コイルのピッチを拡大する方向の大きな誤差の場合には、ヘッドの係合が可能な範囲でコイルは噛合可能ではあるものの、技術常識的にみて、ヘッドの係合が減ることは、コイルの噛み合いを不安定にする虞があるので、当業者は、このような取り付け方を避けようとするのが当然である。
　結局、刊行物１の記載からは、締まりばめを形成するために、乾燥布の経糸間隔と、コイルのピッチとを精密に形成する必要があることは認められるが、これに反して、乾燥布の経糸間隔の大きな誤差に対応して、コイルを伸縮させて取り付けるというような技術思想は見出せないので、刊行物１の記載から、コイルを伸長して乾燥布に取り付けることを思いつき、相違点に係る構成を想到することは、当業者が容易になし得たものとは認められない。
　
　また、刊行物２ないし刊行物５のいずれにも、上記相違点に係る構成は、記載も示唆もされていないので、他の刊行物の記載を勘案しても、相違点に係る構成を、当業者が容易に想到し得たとは認められない。
　
　なお、刊行物３には、経糸にスパイラル線条をからませて、抄紙用ドライヤーカンバスに取り付けるにあたり、異なるピッチで取り付ける場合についての比較が記載されているが、これは、同一のスパイラル線条を伸縮し、そのピッチを種々変えて、ドライヤーカンバスに取り付けることを提案するものではなく、所定のピッチと太さのスパイラル線条を用意するにあたり、ドライヤーカンバスの経糸配列ピッチの１．５ピッチ毎にからませるようなものとすれば、１ピッチ毎、または２ピッチ毎にからませるものに比べ、からませることが容易であるとともに、適度な太さのスパイラル線条を用いることができる旨教示するにとどまるものである。
　
　したがって、本件訂正発明１は、刊行物１ないし５に記載された発明から当業者が容易に発明をすることができたものとは認めることができない。
　
【本件訂正発明２について】
　本件訂正発明２は、本件訂正発明１の技術事項を引用するとともに、「線径０．６〜１．１ｍｍのモノフィラメントを成型したコイル状ファスナーエレメント列のエレメントカラーが、該エレメント列に遮られている接合用芯線を目視可能な半透明色である」と構成を限定したものであるから、本件訂正発明２は、刊行物１ないし５に記載された発明から当業者が容易に発明をすることができたものとは認めることができない。
　
４．むすび
　以上のとおりであるので、取消理由通知書の理由によっては、本件特許発明１ないし２についての特許を取り消すことができない。
　また、その他の異議申立理由によっても、本件特許発明１ないし２についての特許を取り消すことができない。　
　よって、結論の通り決定する。
【異議決定日】
平成１５年６月２４日（２００３．６．２４）
【訂正の要旨】
Ａ．訂正事項ａ
　平成１３年６月８日の本件請求人提出に係わる手続補正書により補正された特許請求の範囲の請求項１に係わる記載（特許公報の第１頁左欄第６〜８行目）、
「１　該両端部のコイル状フアスナーエレメント列同士を上下方向から噛み合わせ、」
を、
「１　該両端部のコイル状フアスナーエレメント列同士
を上下方向噛み合わせ用の継手形成用スライダーを用いて上
　と訂正する。
Ｂ．訂正事項ｂ
　平成１３年６月８日の本件請求人提出に係わる手続補正書により補正された特許請求の範囲の請求項１に係わる記載（特許公報の第１頁左欄第１１〜１２行目）、
「１　成型時基準長さ寸法に対し約１〜２５％の範囲にて伸長され、」
を、
「１　成型時基準長さ寸法に対し約
５〜２０
　と訂正する。
Ｃ．訂正事項ｃ
　平成１３年６月８日の本件請求人提出に係わる手続補正書により補正された特許請求の範囲の請求項２に係わる記載（特許公報の第１頁右欄第２行目）、　
「２　コイル状フアスナーエレメント列」
を、
「２　
線径０．６〜１．１ｍｍのモノフィラメントを成型した
　と訂正する。
（５４）【発明の名称】
コイルフアスナー継手
（５７）【特許請求の範囲】
　【請求項１】　プラスチック織物本体の両端部のそれぞれに、相互錠止し合うべく予め成型された伸縮能を有する一本の合成樹脂線材から成るコイル状フアスナーエレメント列を、該プラスチック織物本体を構成する経糸の折り返しループにからませて取り付け、該両端部のコイル状フアスナーエレメント列同士
を上下方向噛み合わせ用の継手形成用スライダーを用いて上
５〜２０
　【請求項２】　
線径０．６〜１．１ｍｍのモノフィラメントを成型した
【発明の詳細な説明】
　【０００１】
　【発明の属する技術分野】
　本発明は、抄紙用ドライヤーカンバス、メッシュベルト等のプラスチック織物のコイルフアスナー継手に関する。
　【０００２】
　【従来の技術】
　プラスチック織物として、例えば抄紙機のドライヤーパートに使用される抄紙用ドライヤーカンバスは、合成繊維からなる経糸と緯糸にてカンバス本体を織成し、有端状のドライヤーカンバス本体の両端に継手部を設け、その両端部を連結し無端状として使用されている。従来の継手としては、有端状のカンバス本体の両端部から緯糸を除去して、緯糸を除去することにより露出した簾状の経糸を折り返し、適宜その一部をループ形状とし、経糸の折り返し先端部をカンバス本体に織り込み、カンバス本体の両端部に形成された経糸ループ同士を噛み合わせ、噛み合わせて形成される経糸ループ共通孔に接続用芯線を挿通し連結するワープループシーム構造継手や、前記経糸ループに合成樹脂モノフィラメントからなるスパイラル線条を噛み合わせ、噛み合わせて形成される共通孔にスパイラル線条固定用芯線を挿通し、カンバス本体の両端部に形成されたスパイラル線条同士を噛み合わせ、噛み合わせて形成されたスパイラル線条共通孔に接続用芯線を挿通し連結するスパイラルシーム構造継手が一般的に使用されている。
　【０００３】
　上記した一般的な継手に対して、継手部の接合及び分離の容易性を考慮したものとして、相互錠止し合うべく予め成型された一本の合成樹脂線材から成るコイル状フアスナーエレメント列を用い、スライダーにより継手を形成する、いわゆるコイルフアスナーを抄紙用ドライヤカンバスの継手に利用したコイルフアスナー継手が従来より知られている。例えば、実開昭５０−７６１０１号公報には、スパイラル状エレメント列（コイル状フアスナーエレメント列）を一端に縫着したテープをカンバス両端部にそれぞれ縫着し、相互に噛み合わせて、共通間隙に芯線を挿入した製紙用ドライヤーカンバスの接合部が開示されている。また、特開昭６０−４８７０２号公報には、製紙に用いられる織布の両端に相互に締まりばめが得られるように予め成形されたジッパコイル（コイル状フアスナーエレメント列）を結合し、ジッパコイル同士を噛み合わせ、噛み合わせて形成される円筒形の管内にピンを挿入した継目（コイルフアスナー継手）、及び継目形成用工具（スライダー）が開示されている。
　【０００４】
　【発明が解決しようとする課題】
　しかしながら、カンバス業界、製紙業界において、これらのコイルフアスナーを抄紙用ドライヤーカンバスの継手部材に利用したものは、実際にはその使用例を聞いていないのが実状である。その理由として、例えば前記実開昭５０−７６１０１号公報記載の接合部においては、カンバス本体上にスパイラル状エレメント列を一端に縫着したテープを配置するため、カンバス継手部において凹凸部を形成することになり、その結果カンバス表面平滑性に劣り、摩耗や破損等の問題点や、また上級紙のウエットゾーンにおいてはマーク発生となる懸念がある。また、前記特開昭６０−４８７０２号公報記載の継目（コイルフアスナー継手）においては、ジッパコイル（コイル状フアスナーエレメント列）を織布本体に直接結合するため、上記のような表面平滑性の点では問題ないが、ジッパコイル相互が締まりばめが得られるようにするためには、ジッパコイルのコイル密度（噛合頭数／インチ）に応じてカンバス本体の経糸密度を調整する必要があることから、製紙会社別、工場別、さらには、多種多様の抄紙機ドライヤーパート群別に、オーダーメイドされるカンバス用途には、上記理由によりそのカンバス仕様（特に経糸密度に関連するカンバスの寸法安定性能や通気度等）が制限されるといった不都合があり、また剛性の高い織布に直接ジッパコイルを取り付けることから、スライダーにて該コイル相互を噛み合わせしにくいといった不都合や、ジッパコイルが噛合頭を有するが故に、通常のスパイラルシーム継手に使用されるスパイラル線条に比べ接合用芯線が挿通しにくいといった不都合がある。
　【０００５】
　そこで、本発明者らは、上記問題点に鑑み、多種多様の仕様にオーダーメイドされる抄紙用ドライヤーカンバス用途等にも適用可能で、且つ相互のコイル状フアスナーエレメント列同士を噛み合わせ錠止し易い、さらに接合用芯線が挿通し易いプラスチック織物のコイルフアスナー継手を提供しようとするものである。
　【０００６】
　【課題を解決するための手段】
　本発明のコイルフアスナー継手は、プラスチック織物本体の両端部のそれぞれに、相互錠止し合うべく予め成型された伸縮能を有する一本の合成樹脂線材から成るコイル状フアスナーエレメント列を、該プラスチック織物本体を構成する経糸の折り返しループにからませて取り付け、両端部のコイル状フアスナーエレメント列同士を上下方向から噛み合わせ、この噛み合わせて形成した共通孔に接合用芯線を挿通して無端状に接合するようにしたプラスチック織物のコイルフアスナー継手において、前記コイル状フアスナーエレメント列が、成型時基準長さ寸法に対し約１〜２５％の範囲内にて伸長され、該エレメント列が構成する噛合頭部間距離が広がっている状態で、直接、前記プラスチック織物本体を構成する経糸の折り返しループに取り付けらていることを特徴とするコイルフアスナー継手を以て、また、コイル状フアスナーエレメント列のエレメントカラーが、該エレメント列に遮られている接合用芯線を目視可能な半透明色であることを特徴とするコイルフアスナー継手を以て、上記課題を解決するものである。
　【０００７】
　【発明の実施の形態】
　本発明のコイルフアスナー継手について、図示の実施の形態を基に以下に詳細に説明する。
　【０００８】
　図１に、本発明のコイルフアスナー継手の側面図を示す。図２に、成型時のコイル状フアスナーエレメント列の平面図を示す。図３に、図２のコイル状フアスナーエレメント列を噛合頭側からみた側面図を示す。図４にコイル状フアスナーエレメント列同士を上下方向から噛み合わせるコイルフアスナー継手形成用スライダーの斜視図を示す。
　【０００９】
　本発明のコイルフアスナー継手（１）は、図１に示すように、プラスチック織物本体（２）の両端部のそれぞれに、相互錠止し合うべく予め成型された伸縮能を有する一本の合成樹脂線材から成るコイル状フアスナーエレメント列（３）（以下、単に本エレメント列という）を、成型時基準長さ寸法に対し約１〜２５％の範囲内にて伸長させて、プラスチック織物本体を構成する経糸（４）の折り返しループ（５）にからませて取り付け、両端部の本エレメント列同士を上下方向から噛み合わせ、この噛み合わせて形成した共通孔（６）に接合用芯線（７）を挿通して無端状に接合するようにしたプラスチック織物のコイルフアスナー継手であって、前記した従来から汎用されている一般的なワープループシーム構造継手や、スパイラルシーム構造継手と同様に、接合用芯線を以て、プラスチック織物の両端部を接合保持させるものである。
　【００１０】
　また、本発明のコイルフアスナー継手は、実際の継手形成時においては、スライダー（８）によって、簡易に本エレメント列同士を上下方向から噛み合わせできるものである。よって従来の継手に比べ、継手部同士の接合及び分離が、手間と時間において格段に優れた継手と成り得る。
　【００１１】
　本エレメント列のプラスチック織物への取り付け状態においては、一般的な両側基布を接合保持するためのフアスナーとしての接合強力を有する程の締まりばめはそれほど重要ではなく、スライダーにより本エレメント列同士を噛み合わせた後に、僅かの外力により噛み合いが外れない程度に噛み合っており、且つ接合用芯線が挿通されるだけの共通孔が確保されればよい。すなわち、本発明においては、従来のように本エレメント列相互間による強固な締まりばめを維持するために、本エレメント列のコイル密度に応じてプラスチック織物の経糸密度を調整するのではなく、本エレメント列をその軸方向に伸長させることにより、プラスチック織物の経糸密度に応じて本エレメント列のコイル密度を調整するものであり、そうした継手形成手段をとることによりオーダーメイドの多種多様のカンバス用途にも適応可能な継手となり、且つ上下方向から本エレメント列同士を噛み合わせし易い継手と成り得る。
　【００１２】
　伸長の範囲は、本エレメント列の成型時基準長さ寸法に対し約１〜２５％の範囲で伸長させることが好ましい。ここで成型時基準長さ寸法とは、相互錠止し合うべく予め成型された伸縮能を有する一本の合成樹脂線材から成る本エレメント列に外力を加えない状態での軸方向における所定の基準長さ寸法をいう。伸長が２５％を超えると、本エレメント列同士の接合強力が弱くなりすぎるのみならず、本エレメント列自体の形態維持や耐久性の点で劣ったものとなり、継手部材として不適なものとなる。反対に、伸長率が１％未満であると、プラスチック織物本体の経糸密度が制限され易くなると同時に、上下方向から本エレメント列同士を噛み合わせる際に、噛み合わせ錠止しにくいものとなる。より好ましくは５〜２０％の範囲内で伸長させることが好ましい。
　【００１３】
　従来よりコイルフアスナーは、例えば図５に示すように、剛性の低い布状テープ（１０）端にコイル状フアスナーエレメント列（３）を接合し使用されるものであるから、コイル状フアスナーエレメント列同士を継手形成用スライダーにより相互に錠止する際には、同一平面上にて左右両方向からＹ字状に相互のコイル状フアスナーエレメント列の噛合頭部（３ｈ）がまるで平歯車の歯相互が噛み合うが如く噛み合わす横方向噛み合わせタイプの継手形成用スライダー（１１）にて錠止される。しかしながら、本発明のようにコイル状フアスナーエレメント列を布状テープを用いることなく、直接、剛性の高いプラスチック織物に取り付けた場合においては、同一平面上にて左右両方向からＹ字状にコイル状フアスナーエレメント列相互の噛合頭部がまるで平歯車相互が噛み合うが如く噛み合わせることは、織物の剛性が高い程困難である。よって、上下方向から噛み合わせることになるが、本エレメント列同士を上下方向から噛み合わせる際には、本エレメント列の軸方向の伸長率を大きくした方が、本エレメント列が構成する噛合頭部間距離が広くなり、一方のエレメント列の噛合頭部（３ｈ）を他方のエレメント列の噛合間（３ｄ）へ挿入しやすいものとなる。よって前記伸長率は、本エレメント列相互の噛み合わせの点においても大きい程好ましいが、反面接合用芯線を挿通するまでの本エレメント列相互間の接合強力（ここではプラスチック織物両端部における引張強力）の点では、伸長率が大きい程その接合強力は弱くなる。よって、伸長率は本エレメント列成型時基準長さ寸法に対して１〜２５％伸長させることがより好ましい。より好ましくは５〜２０％である。
　【００１４】
　本エレメント列は、例えば、通常ドライヤーカンバス用途に使用される耐湿熱性合成樹脂モノフィラメントをコイル成型した後、同モノフィラメントの噛合頭部成型部分に該当する部位を押圧して、モノフィラメントの横断方向に膨出する噛合頭部を形成すること、或いは、予め合成樹脂製モノフィラメントの所定間隔毎に上記形態の噛合頭部を成型し、後に同モノフィラメントをコイル成型すること等により得られる。本エレメント列の成型は特別の成型をしたものではなく、通常汎用されている衣料用途、カバン用途等に用いられるコイルフアスナーに使用されるコイル状フアスナーエレメント列と同等の規格にて成型したものが使用される。例えば、線径０．６ｍｍの耐湿熱性ポリエステルモノフィラメントをコイル密度２１（噛合頭数／インチ）のコイル状フアスナーエレメント列に成型したもの、線径０．８ｍｍの耐湿熱性ポリエステルモノフィラメントをコイル密度１６（噛合頭数／インチ）のコイル状フアスナーエレメント列に成型したもの、線径１．１ｍｍの耐湿熱性ポリエステルモノフィラメントをコイル密度１１．５（噛合頭数／インチ）のコイル状フアスナーエレメント列に成型したもの等が好適である。本発明においては、上記コイル状フアスナーエレメント列を例にすれば、例えば、経糸密度７０（本／インチ）の２重織組織プラスチック織物には、コイル密度２１（噛合頭数／インチ）のコイル状フアスナーエレメント列を約２０％伸長させ、該プラスチック織物の経糸４本毎に経糸ループを形成し、該経糸ループと該コイル状フアスナーエレメント列とを、図１に示すようにコイル状ファスナーエレメント列（３）と固定用芯線（１２）を同時に跨ぐように、からませて取り付けることにより、経糸ループ密度とコイル密度の相互の密度が同等となり、エレメント列同士の噛み合わせに問題のないコイルフアスナー継手が得られる。同様に経糸密度６０（本／インチ）の２重織組織プラスチック織物には、コイル密度１５．８（噛合頭数／インチ）のコイル状フアスナーエレメント列を約５．３％伸長させ、該プラスチック織物の経糸４本毎に経糸ループを形成し、該経糸ループと該コイル状フアスナーエレメント列とをからませて取り付けることにより、経糸ループ密度とコイル密度の相互の密度が同等となり、エレメント列同士の噛み合わせに問題のないコイルフアスナー継手が得られる。このように本エレメント列のコイル密度を経糸ループ密度に合致させるべく、本エレメント列を上記数値限定範囲内にて伸長させることにより、オーダーメイドされる多種多様のカンバス用途にも使用可能で、且つ上下方向から噛み合わせ錠止し易いコイルフアスナー継手が得られたものである。
　【００１５】
　本エレメント列同士を上下方向から噛み合わせるには、上下方向噛み合わせ用の継手形成用スライダーを用いればよい。例えば図４に示すような、スライダーの前端垂直面には、両端部のコイル状フアスナーエレメント列の一方のエレメント列が挿入される一方側開放挿入口と、他方のエレメント列が挿入される他方側開放挿入口が形成され、各挿入口は、前記前端垂直面において上下方向では互いに位置をずらし、左右方向では一部重なった領域であるエレメント列噛み合わせ領域を有しており、該スライダーの後端垂直面には、上下方向、左右方向共に同一領域を有する両側開放共通出口が形成され、該スライダーの左右両側端垂直面には、前記挿入口から挿入された各コイル状フアスナーエレメント列を前記共通出口に案内する連続した横長孔を有する案内導溝が形成され、且つコイル状エレメント列同士を噛み合わせるための加圧錠止体を具備したコイルフアスナー継手形成用スライダーが好ましい。
　【００１６】
　また、本エレメント列のエレメントカラーを半透明色とすることが好ましい。これは、本エレメント列相互を噛み合わせ、錠止した後に、噛み合わせて形成した本エレメント列相互間の間隙である共通孔に接合用芯線を挿通するが、挿通の際にエレメントカラーを半透明色にすることにより、本来噛み合わされたエレメント列に遮られ見えない芯線の挿入程度が目視しやすくなり、芯線の挿入作業をさらに容易なものにすることができる。半透明色のモノフィラメントは従来から汎用されており、これを原糸としてコイル状フアスナーエレメント列に成型することにより得られる。尚、ここでいう半透明色とは、より透明に近い透視性のある色彩を示す。
　【００１７】
　以上、本発明を図示の実施の形態に基づいて説明したが、本発明はかかる実施の形態に限定されず、本発明の範囲内でその具体的構造に種々の変更を加えてもよいことはいうまでもない。
　【００１８】
　【発明の効果】
　以上詳述したように、本発明により、コイル状フアスナーエレメント列を１〜２５％の範囲内にて伸長させた状態でプラスチック織物に取り付けることにより、カンバス用途のような多種多様のプラスチック織物にも使用可能で、且つ噛み合わせ錠止し易いコイルフアスナー継手を得ることができたものである。また、コイル状フアスナーエレメント列のエレメントカラーを半透明色とすることにより、接合用芯線の挿通がより容易なコイルフアスナー継手を得ることができたものである。このようなコイルフアスナー継手を得ることにより、従来の継手に比べ、手間と時間の点において継手部の接合及び分離が格段に優れた継手を得ることができたものである。
【図面の簡単な説明】
　【図１】　本発明のコイルフアスナ継手の側面図である。
　【図２】　成型時のコイル状フアスナーエレメント列の平面図である。
ある。
　【図３】　図２のコイル状フアスナーエレメント列を噛合頭側からみた側面図である。
　【図４】　コイル状フアスナーエレメント列同士を上下方向から噛み合わせるスライダーの斜視図である。
　【図５】　一般的なコイルフアスナーの平面図である。
　【符号の説明】
　　１　　コイルフアスナー継手
　　２　　プラスチック織物
　　３　　コイル状フアスナーエレメント列
　　３ｈ　コイル状フアスナーエレメント列の噛合頭部
　　３ｄ　コイル状フアスナーエレメント列の噛合間部
　　４　　経糸
　　５　　折り返しループ
　　６　　共通孔
　　７　　接合用芯線
　　８　　上下方向噛み合わせタイプの継手形成用スライダー
　　９　　緯糸
　１０　　布状テープ
　１１　　横方向噛み合わせタイプの継手形成用スライダー
　１２　　コイル状フアスナーエレメント列固定用芯線